(57)【特許請求の範囲】
【請求項１】
地盤に所定間隔で多数の発破孔を形成し、この発破孔の所定深さ位置に爆薬を挿入設置し、前記爆薬を爆発させることにより地盤の締固めを行う発破による締固め工法において、
前記発破孔を格子目状に所定の間隔で形成する一方、この発破孔とは別に、前記発破孔の間に位置するように同じく格子状配置により、間隙水の排水用井戸を地盤改良対象層の下部に達する深さで、又は前記改良対象層を貫通しその下側地盤層に達する深さで多数設けるとともに、この排水用井戸の下部近傍に吸水部を限定した強制排水手段を設備し、爆発時に前記強制排水手段により排水を行うことにより、前記地盤改良対象層において、間隙水を下向き方向に誘導しながら排水し、上昇した間隙水圧の消散を図るとともに、前記改良対象層の地盤構成粒子を全体にわたって圧密させ締固めるようにしたことを特徴とする発破による締固め工法。
【発明の詳細な説明】
【技術分野】
【０００１】
本発明は、発破によって改良地盤の地盤構成粒子を密に締固める締固め工法に関する。
【背景技術】
【０００２】
従来より、地下水で飽和された緩い砂質土地盤を、爆薬（発破）のエネルギーを利用して人工的に液状化を発生させ、地盤を締固める工法が知られている。この発破締固め工法は、発破孔の間隔を設定した後、ボーリングマシンにより地盤中に削孔を行い、装薬及び孔壁保護のためにケーシングパイプ（樹脂製など）を建て込んだ後、発破孔内に１または複数段に亘って装薬ユニットを挿入設置し爆発させるものである。
【０００３】
前記発破締固め工法に係る先行技術文献としては、例えば下記特許文献１において、埋立地盤内に複数段の爆薬を充填したパイプを埋設し、前記各爆薬を爆圧が水平乃至下部側に向くべく制御した状態で順次下から爆発させて、前記埋立土砂に対する締固め圧力を加えるようにした埋立地盤の発破締固め工法が提案されている。
【０００４】
また下記特許文献２において、少なくとも発破時以降における地盤内の間隙水圧を測定し、この測定結果に基づいて地盤の締り程度を評価し、この評価結果と目標締り程度との対比に基づいて、少なくとも追加発破実施の可否を決定するようにした発破による軟弱地盤の締固め方法が提案されている。
【０００５】
さらに下記特許文献３において、地盤中に所定間隔で多数の発破孔を形成し、この発破孔の所定深さ位置に爆薬を挿入設置し、前記爆薬を爆発させることにより地盤の締固めを行う第１ステップと、少なくとも前記発破孔周辺の緩み領域を柱状型地盤改良工法によって改良を行うとともに、地盤表層領域を表層型地盤改良工法によって改良を行う第２ステップと、からなる発破工法を併用した地盤改良工法が提案されている。
【特許文献１】特開昭６３−１９７７１３号公報
【特許文献２】特開平１１−１８１７５４号公報
【特許文献３】特開２００２−４７６３８号公報
【発明の開示】
【発明が解決しようとする課題】
【０００６】
前述した発破締固め工法は、他の締固め工法と比べて、工期が短くて済む、経済的であるなどの利点を有する。
【０００７】
しかしながら、発破による締固め原理は、地盤構成粒子の再堆積および間隙水圧の正常化への復帰に伴う締固めによって行われるものであり、締固め程度にもおのずと限界がある。例えば、砂質土の例で言えば、おおよそＮ値２０〜２５程度が限界とされる。
【０００８】
また、図４に示されるように、発破直後には上昇した間隙水圧によりケーシングパイプより地下水が噴出する。この地下水の噴出は間隙水圧が消散するまでしばらくの間継続するが、地下水の通り道となる発破孔およびその近傍においては、地盤中に上向きの水流が発生し、一時的に地盤構成粒子が浮遊する状態となり、逆に地盤が緩んでしまうという現象が発生していた。なお、図５は発破締固め後におけるスウェーデン式サウンディング試験結果（A1〜A6）を示したものであるが、発破孔付近のサウンディングA3結果の場合には、地盤が緩んだため地盤改良効果がほとんど得られていないことが分かる。
【０００９】
そこで本発明の主たる課題は、地盤構成粒子をより高密度に締固めできるとともに、発破孔及びその周辺において地盤の緩み現象を防止した発破による締固め工法を提供することにある。
【課題を解決するための手段】
【００１０】
前記課題を解決するために請求項１に係る発明として、地盤に所定間隔で多数の発破孔を形成し、この発破孔の所定深さ位置に爆薬を挿入設置し、前記爆薬を爆発させることにより地盤の締固めを行う発破による締固め工法において、
前記発破孔を格子目状に所定の間隔で形成する一方、この発破孔とは別に、前記発破孔の間に位置するように同じく格子状配置により、間隙水の排水用井戸を地盤改良対象層の下部に達する深さで、又は前記改良対象層を貫通しその下側地盤層に達する深さで多数設けるとともに、この排水用井戸の下部近傍に吸水部を限定した強制排水手段を設備し、爆発時に前記強制排水手段により排水を行うことにより、前記地盤改良対象層において、間隙水を下向き方向に誘導しながら排水し、上昇した間隙水圧の消散を図るとともに、前記改良対象層の地盤構成粒子を全体にわたって圧密させ締固めるようにしたことを特徴とする発破による締固め工法が提供される。
【００１１】
上記請求項１記載の発明においては、排水用井戸を地盤改良対象層の下部に達する深さで、又は前記改良対象層を貫通しその下側地盤層に達する深さで設けるとともに、この排水用井戸に対してその下部近傍に吸水部を限定した強制排水手段を設備し、前記爆発時に前記強制排水手段により排水を行うことにより、前記地盤改良対象層において、間隙水を下向き方向に誘導しながら排水し、上昇した間隙水圧の消散を図るようにした。
【００１２】
従って、地盤改良対象層の全体に下向きの水流が生じ、それに伴い地盤構成粒子が全体にわたって圧密されることになるため、より高密度の締固めが可能となるとともに、発破孔およびその近傍においても、前記下向き方向に発生した水流によって、地盤が緩んでしまう現象を防止できるようになる。
【発明の効果】
【００１３】
以上詳説のとおり本発明によれば、地盤改良対象層において、爆発に伴い上昇した過剰間隙水を下向き方向に誘導することにより、地盤構成粒子をより高密度に締固めできるとともに、発破孔及びその周辺において地盤の緩み現象を防止し得るようになる。
【発明を実施するための最良の形態】
【００１４】
以下、本発明の実施の形態について図面を参照しながら詳述する。
【００１５】
本発明は、図１〜図３に示されるように、地盤改良対象層ＧＩ領域に所定間隔で多数の発破孔４、４…を形成する一方で、この発破孔４，４…とは別に、間隙水の排水用井戸１、１…を適宜の間隔で設置するとともに、この排水用井戸１の下部近傍に吸水部２ａを限定した強制排水手段３を設備し、発破時に前記強制排水手段３により排水を行うことにより、前記地盤改良対象層ＧＩにおいて、間隙水を下向き方向に誘導しながら排水し、間隙水圧の消散を図るものである。
【００１６】
以下、さらに具体的に詳述すると、
例えば、格子目状に所定の間隔で、例えばピッチ約５〜１０ｍのグリッド交点部に直径約１０〜２０cm程度の発破孔４，４…をボーリングマシンを用いて形成する。この削孔には装薬及び孔壁保護のために、塩ビ管などの樹脂管をケーシングパイプ５として建て込むようにするのが望ましい。削孔およびケーシングパイプ５の建込みを完了したならば、地上から所定の深さ位置に装薬ユニット６を挿入設置する。この装薬ユニット６の設置は、深さ方向の複数箇所、通常は２〜３箇所に分けて設置するのが望ましい。前記装薬ユニット６としては、本出願人が先の特開平１１−１１８３９９号公報において提案した装薬ユニットを好適に用いることができる。なお、発破孔４内には前記装薬ユニット６と共に、砂、砕石などの粒状物を充填するようにするのが望ましい。
【００１７】
一方、前記排水用井戸１は、例えば前記発破孔４，４…の間に位置するように同じく格子状配置により、図１に示されるように、改良対象層ＧＩの下部に達する深さで、又は図２に示されるように、前記改良対象層ＧＩを貫通してその下側地盤層ＧＰに達する深さで、ボーリングマシンを用いて形成する。この排水用井戸１内にはその下部近傍に吸水部２ａを限定した強制排水手段３を設備する。具体的には、図３に詳細に示されるように、吸込位置を下端部に限定するために、ケーシングパイプ２を建て込むとともに、ケーシングパイプ２の内部に、先端にストレーナ７を備える排水管９を挿入設置し、排水管９の中間に排水ポンプ８を設けた強制排水手段３を設け、地下水を前記ケーシングパイプ２の下端口（２ａ）から吸込み強制排水可能とする。
【００１８】
なお、前記ポンプ方式に代えて、真空ポンプやバキュームポンプなどの真空方式（図示せず）とすることも可能である。真空装置による揚水は、１つの真空設備で複数の排水用井戸１からの揚水が可能となることから、排水ポンプ８を個々に設置するよりも経済的となり、かつ急速排水が可能となる。
【００１９】
次に、本発明の発破締固め工法について、具体的な地盤締固めのメカニズムを以下に詳述する。
【００２０】
まず、地盤中に設置した前記装薬ユニット６，６を発破させることにより、地下水位以下において爆発の衝撃力により間隙水圧が過剰になるとともに、粒子堆積構造が破壊され、当該地盤に液状化が発生する。一方で、排水用井戸１の下端吸水口２ａから地下水を強制排水することにより、前記地盤改良対象層ＧＩにおいて、間隙水は下向き方向に誘導されながら排水され、上昇した間隙水圧の消散が図られる。
【００２１】
この間隙水（地下水）の下向き方向の水流に伴い、地盤構成粒子が全体にわたって圧密され、より高密度の締固めが可能となるとともに、発破孔およびその近傍においても、前記下向き方向に発生した水流によって、地盤構成粒子の浮遊を防止し、地盤が緩んでしまう現象を防止することができるようになる。
【００２２】
なお、前記発破は、複数回、例えば２回に分け、１回目の発破の後、間隙水圧の消散を待って２回目の発破を行うようにすれば、より大きな締固め効果が得られるようになる。
【００２３】
〔他の形態例〕
(1)本発明では、液状化層において、改良対象層ＧＩに下向きの水流を生じさせ地盤構成粒子を圧密することによって、より高い締固めを可能としたが、本工法はシルト質地盤などの埋立て地において、圧密を促進するための工法として利用することも可能である。
【図面の簡単な説明】
【００２４】
【図１】本発明に係る発破締固め工法の施工要領図（その１）である。
【図２】本発明に係る発破締固め工法の施工要領図（その２）である。
【図３】排水用井戸１内に設けた強制排水手段３を示すとともに、下向き方向の水流発生状態を示す縦断面図である。
【図４】従来の発破締固め工法の施工要領図である。
【図５】発破締固め工法による地盤改良後のサウンディング試験結果を示すグラフである。
【符号の説明】
【００２５】
１…排水用井戸、２…ケーシングパイプ、２ａ…吸水部、３…強制排水手段、４…発破孔、５…ケーシングパイプ、６…装薬ユニット、７…ストレーナ、８…排水ポンプ、９…排水管、ＧＩ…改良対象層、ＧＰ…下側地盤層
【図１】
0004836236.tif 000002
【図２】
0004836236.tif 000003
【図３】
0004836236.tif 000004
【図４】
0004836236.tif 000005
【図５】
0004836236.tif 000006